(57)【要約】【課題】本発明の目的は、縦位置、横位置、斜め位置など、任意の角度のカメラ位置でステレオ写真の撮影が可能なステレオ写真撮影装置を提供することにある。【解決手段】本発明は、２台のカメラで共通の被写体を撮影することによってステレオ写真を撮影するステレオ写真撮影装置である。２台のカメラ５０を、カメラ５０のレンズの光軸を中心とした任意の角度でそれぞれ固定可能な２つのカメラ角度固定手段４０と、２つのカメラ角度固定手段４０を支持する台座１０と、を備える。【選択図】        図１
2005037595.tif 000002
【特許請求の範囲】
【請求項１】
２台のカメラで共通の被写体を撮影することによってステレオ写真を撮影するステレオ写真撮影装置であって、
２台の前記カメラを、該カメラのレンズの光軸を中心とした任意の角度でそれぞれ固定可能な２つのカメラ角度固定手段と、
２つの前記カメラ角度固定手段を支持する台座と、を備えることを特徴とするステレオ写真撮影装置。
【請求項２】
前記カメラ角度固定手段は、前記台座に対して固定される台座側部材と、該台座側部材に対して回動可能で前記カメラが固定される可動部材と、該可動部材を前記台座側部材に回動しないように固定する固定手段と、を備えることを特徴とする請求項１記載のステレオ写真撮影装置。
【請求項３】
前記カメラ角度固定手段は、内面円筒形の外部材と、外面が前記外部材の内面より僅かに小さな径の円筒形の内部材と、該内部材と前記外部材とを互いに固定する固定部材と、を備え、
前記外部材及び前記内部材の一方は、前記台座に対して固定され、他方は、前記カメラに対して固定され、
前記外部材と前記内部材とは、互いに回動可能であることを特徴とする請求項１記載のステレオ写真撮影装置。
【請求項４】
一方の前記カメラの画面中心を指すレーザーポインタを備えることを特徴とする請求項１記載のステレオ写真撮影装置。
【請求項５】
前記台座には、前記カメラ角度固定手段を支持すると共に前記カメラの位置を調整するための位置調整手段が、前記カメラ毎に設置され、
前記位置調整手段は、雄ネジに連結された上部材と雌ネジに連結された下部材とを備えた水平調整手段、及び略Ｕ字型の板体の上板部に該上板部に平行に設けられた当接部と、前記上板部に湾曲部を介して連続した下板部に回動可能に固定されると共に、前記当接部に先端が当接するネジとを備えた上下調整手段を備えることを特徴とする請求項１記載のステレオ写真撮影装置。
【発明の詳細な説明】
【０００１】
【発明の属する技術分野】
本発明はステレオ写真撮影装置に係り、特に縦位置、横位置、斜め位置など、任意の角度のカメラ位置でステレオ写真の撮影が可能なステレオ写真撮影装置に関する。
【０００２】
【従来の技術】
一つの被写体を左目用レンズ及び右目用レンズの２つのレンズで撮影するステレオ写真撮影装置が種々提案されている（例えば、特許文献１）。
【０００３】
【特許文献１】
特開平１１−１６０８１５号公報（第１０欄第３５行〜第１３欄第３４行、図３〜図８）
特許文献１では、２台のカメラを左右一対として保持し、この２台のカメラで共通の被写体を撮影することによって立体写真を撮影する装置が開示されている。この装置では、三脚の雲台上面に、水平に延びるガイドレールが固定され、このガイドレール上の左右に、カメラ固定部材を介して２台のカメラがそれぞれ固定されている。
カメラ固定部材は、ガイドレールに水平方向に可動可能に固定されると共に鉛直に起立するカメラ装着部材と、このカメラ装着部材にネジ止めされると共にカメラを載置するカメラ保持部材とを備えている。
【０００４】
カメラ保持部材には、カメラ装着部材を嵌合可能な溝が十字型に切られており、十字に交叉する溝のどちらかにカメラ装着部材を嵌合固定することにより、カメラ保持部材をカメラごと縦位置又は横位置に設置して、カメラを縦位置、横位置に設置できるように構成されている。
従って、この特許文献１に記載された立体写真撮影装置によれば、カメラを縦位置、横位置に設置できるため、縦長の立体写真、横長の立体写真の双方を撮影することが可能となる。
【０００５】
しかし、上記特許文献１に記載された従来技術によれば、縦位置及び横位置におけるステレオ写真の撮影は可能であるが、斜め位置のカメラにより斜めのステレオ写真を撮影することはできないという問題点がある。
初級のカメラユーザが旅行先で又は友人と共にスナップ写真を撮影する場合など個人向けの用途であれば、縦位置及び横位置における撮影ができれば十分であるが、プロのカメラマンが商用に、又は作品としてステレオ写真を撮影する場合には、任意の角度の斜め位置での撮影ができるか否かは、その写真の商品又は作品としての価値に影響を及ぼす場合もあり、任意の角度の斜め位置におけるステレオ写真を撮影できる装置の開発が望まれていた。
【０００６】
【発明が解決しようとする課題】
本発明の目的は、上記問題点を解決することにあり、斜め位置におけるステレオ写真を迅速かつ正確に撮影することのできるステレオ写真撮影装置を提供することにある。
【０００７】
【課題を解決するための手段】
上記課題は、請求項１に係る発明によれば、２台のカメラで共通の被写体を撮影することによってステレオ写真を撮影するステレオ写真撮影装置であって、２台の前記カメラを、該カメラのレンズの光軸を中心とした任意の角度でそれぞれ固定可能な２つのカメラ角度固定手段と、２つの前記カメラ角度固定手段を支持する台座と、を備えることにより解決される。
【０００８】
このように、２台の前記カメラを、該カメラのレンズの光軸を中心とした任意の角度でそれぞれ固定可能な２つのカメラ角度固定手段を備えているため、縦位置、横位置、斜め位置など、任意の角度のカメラ位置でステレオ写真の撮影が可能となり、撮影できる構図の自由度が高くなる。
また、カメラ角度固定手段が、２台の前記カメラを、該カメラのレンズの光軸を中心とした角度で固定可能であるため、ステレオ写真の撮影中にカメラの角度を変更しても、角度はカメラのレンズの光軸を中心として変更されるため、カメラの光軸合わせを改めて行う必要が殆どなく、シャッターを切る時間間隔を短くすることができる。従って、スピーディに撮影ができると共に、光軸合わせのためにシャッターチャンスを逃す可能性が低くなる。
【０００９】
このとき、前記カメラ角度固定手段は、前記台座に対して固定される台座側部材と、該台座側部材に対して回動可能で前記カメラが固定される可動部材と、該可動部材を前記台座側部材に回動しないように固定する固定手段と、を備えるように構成すると好適である。
【００１０】
このように、台座側部材に対して回動可能で前記カメラが固定される可動部材を備えているため、カメラをレンズの光軸を中心とした任意の角度で固定することができる。また、カメラを固定する角度を数°程度の小さな角度単位に設定でき、種々の角度の斜め位置でステレオ写真の撮影をすることが可能となる。
【００１１】
また、前記カメラ角度固定手段は、内面円筒形の外部材と、外面が前記外部材の内面より僅かに小さな径の円筒形の内部材と、該内部材と前記外部材とを互いに固定する固定部材と、を備え、前記外部材及び前記内部材の一方は、前記台座に対して固定され、他方は、前記カメラに対して固定され、前記外部材と前記内部材とは、互いに回動可能であるように構成すると好適である。
【００１２】
このように構成しているため、カメラをレンズの光軸を中心とした任意の角度で固定することができる。また、カメラを固定する角度を数°程度の小さな角度単位に設定でき、種々の角度の斜め位置でステレオ写真の撮影をすることが可能となる。
【００１３】
また、一方の前記カメラの画面中心を指すレーザーポインタを備えるように構成すると好適である。
このように構成しているため、２台のカメラのファインダが離れているときであっても、レーザーポインタを照射しながら他方のカメラのファインダを覗いて、一方のカメラのファインダ中のレーザーの位置と他方のカメラのファインダ中のレーザーの位置とを合わせることにより、２台のカメラの光軸合わせが可能となる。
また、２台のカメラのファインダを同時に覗かなくても２台のカメラの光軸合わせができるため、２台のカメラのレンズ間距離（ステレオベース）を広げることが可能となり、ステレオ写真の中距離撮影、遠距離撮影が可能となる。
【００１４】
また、前記台座には、前記カメラ角度固定手段を支持すると共に前記カメラの位置を調整するための位置調整手段が、前記カメラ毎に設置され、前記位置調整手段は、雄ネジに連結された上部材と雌ネジに連結された下部材とを備えた水平調整手段、及び、略Ｕ字型の板体の上板部に該上板部に平行に設けられた当接部と、前記上板部に湾曲部を介して連続した下板部に回動可能に固定されると共に、前記当接部に先端が当接するネジとを備えた上下調整手段を備えるように構成すると好適である。
このように構成しているため、２台のカメラの水平及び上下位置を、個別に迅速に調整可能となる。また、被写体までの距離に応じて左右の画面を正確に一致させることが可能となる。
【００１５】
【発明の実施の形態】
以下、本発明の一実施形態を図面に基づいて説明する。なお、以下に説明する部材，配置等は本発明を限定するものでなく、本発明の趣旨の範囲内で種々改変することができるものである。
本明細書においてステレオ写真とは、立体写真と同義であり、人の目で見たときに立体的に見える写真をいう。本発明は、種々の方式のステレオ写真の中でも、特に、右目用カメラで撮影された右目用写真と左目用カメラで撮影された左目用写真とを、それぞれ右目のみ及び左目のみで同時に見ることにより立体視する方式に関するものである。
【００１６】
本実施形態のステレオ写真撮影装置は、カメラ用の不図示の三脚に、不図示の雲台を介して取り付けられ、２つのカメラ５０で、一つの被写体の左目用写真と右目用写真とからなるステレオ写真を撮影する装置である。
本実施形態のステレオ写真撮影装置は、図１に示すように、台座１０と、台座１０に固定される２つのカメラ間隔調節装置２０と、２つの各カメラ間隔調節装置２０に固定される２つの上下水平微動装置３０と、２つの各上下水平微動装置３０に固定される２つのカメラ回転装置４０及び２つのカメラ５０と、を主要構成要素とする。
【００１７】
台座１０は、２台のカメラ５０を不図示の雲台に固定する役割を果たすものである。
台座１０は、図１に示すように、上面１０ｂが取付時水平になる平面からなり、両端よりも中央の厚みが厚く形成された略板状体の台座本体１０ａと、台座本体１０ａの略中央の下面に固定されたカメラクイックシュー１０ｆと、から構成されている。
台座本体１０ａの略中央の最も厚みの厚い部分には、横長の取付孔１０ｃが形成され、カメラクイックシュー１０ｆにも、取付孔１０ｃと同じ位置に不図示の取付孔が形成されている。この取付孔１０ｃ及びカメラクイックシュー１０ｆの取付孔は、台座１０を不図示の雲台に固定するための不図示のネジを螺合するために用いられる。
【００１８】
台座本体１０ａは、図１に示すように、撮影者から見て右側の端部１０ｇから取付孔１０ｃまでの長さよりも、撮影者から見て左側の端部１０ｈから取付孔１０ｃまでの長さが、長くなるように形成されている。
台座本体１０ａには、撮影者から見て右側の端部１０ｇと取付孔１０ｃとの間及び撮影者から見て左側の端部１０ｈと取付孔１０ｃとの間に、カメラ間隔調節装置２０をネジ止めするための取付孔１０ｄ，１０ｅがそれぞれ形成されている。
撮影者から見て左側の端部１０ｈと取付孔１０ｃとの間の取付孔１０ｅは、図１に示すように、台座本体１０ａの長手方向に伸びており、スリット状に形成されている。
【００１９】
このように、一方の取付孔１０ｅが、長さを持ったスリット状に形成されているため、カメラ５０として、種々の大きさのカメラを用いることができる。小さなカメラ５０を用いた場合には、撮影者から見て左側のカメラ間隔調整装置２０を、取付孔１０ｅの台座本体１０ａ中央寄りの位置に固定し、大きなカメラ５０を用いた場合には、撮影者から見て左側のカメラ間隔調整装置２０を、台座本体１０ａの端部寄りの位置に固定できるので、サイズの大小に関わらず種々のカメラ５０を設置可能となる。
【００２０】
カメラ間隔調節装置２０は、２つのカメラ５０それぞれに対して設けられ、２つのカメラ５０の間隔を調整する役割を果たす。
カメラ間隔調節装置２０は、公知のマクロ撮影用フォーカシングレールであり、下面に不図示のスリットが形成されたカメラ間隔微動レール２１と、カメラ間隔微動レール２１に対し不図示のスリットに沿って水平方向に摺動可能な摺動板２２と、摺動板２２を摺動させるためのカメラ間隔微動ネジ２３と、を主要構成要素とする。
【００２１】
カメラ間隔微動レール２１は、中空略直方体からなり下面に２本の不図示のスリットが形成されている。また、カメラ間隔微動レール２１のステレオ写真撮影装置の外側の側面の中心には、不図示の取付孔が形成されており、この取付孔にカメラ間隔微動ネジ２３が取り付けられている。
【００２２】
摺動板２２は、カメラ間隔微動レール２１よりも幅の狭い底面長方形の板体からなり、底面に、台座１０に取付けるための不図示の取付孔が形成されている。摺動板２２の上面には、不図示のスリットを通る幅狭部と、この幅狭部の上端に連続する幅広部が形成されている。幅狭部がスリットを通るため、摺動板２２はカメラ間隔微動レール２１の下に、幅広部はカメラ間隔微動レール２１の内部に位置している。
この幅広部は、カメラ間隔微動ネジ２３に対して雌ネジとして形成されている。
【００２３】
カメラ間隔微動ネジ２３は、カメラ間隔微動レール２１のステレオ写真撮影装置の外側の面の中心の不図示の取付孔に螺合されている。カメラ間隔微動ネジ２３を回動させると、雌ネジである不図示の幅広部が、カメラ間隔微動レール２１に対して長さ方向に移動し、それに伴って摺動板２２も移動するように構成されている。
【００２４】
また、２つのカメラ間隔調節装置２０のうち、撮影者から見て右側のカメラ間隔調節装置２０のカメラ間隔微動ネジ２３は右ネジ、左側のカメラ間隔調節装置２０のカメラ間隔微動ネジ２３は、左ネジ（逆ネジ）からなる。
このように、左右のカメラ間隔調節装置２０のカメラ間隔微動ネジ２３の巻き方向を逆にすることにより、カメラ間隔微動ネジ２３のネジ頭部をステレオ写真撮影装置の外側に配置でき、カメラ間隔調節動作の操作性を向上させることが可能となる。
【００２５】
撮影者から見て右側のカメラ間隔調節装置２０には、図１に示すように、カメラ間隔微動レール２１の上面に、公知の水準器２６が固定されている。
この水準器２６は、台座１０の水平を保つために用いられる。
また、撮影者から見て左側のカメラ間隔調節装置２０には、図１に示すように、カメラ間隔微動レール２１の上面に、公知のレーザーポインタ２５が、公知の自由雲台２４を介して固定されている。
【００２６】
このレーザーポインタ２５は、横位置撮影，斜め位置撮影など、左右のカメラ５０のファインダが離れており同時に両眼視できない場合に、光軸合わせの補助装置として用いられる。
つまり、一般的に、２台のカメラを用いて一つの被写体を同時撮影するステレオ写真撮影方式では、２台のカメラのレンズの光軸がずれると、２つの画面が正しく一致せず、厳密なステレオ写真にならないため、２台のカメラの光軸を完全に一致させる必要があるのである。
また、自由雲台２４は、レーザーポインタ２５の照射ポイントを設定するために用いられる。
【００２７】
このレーザーポインタ２５は、次のように用いられる。
すなわち、予め撮影者から見て左側のカメラ５０のファインダで見える適当な点，例えばファインダ内中央のフォーカスフレームにレーザーを照射する。照射したポイントは、レーザーの色として視認できるため、このポイントに、撮影者から見て右側のカメラ５０のファインダで見える同じ点，例えばファインダ内の同一フォーカスフレームを合わせる。
なお、レーザーポインタ２５で照射したポイントは、明るい野外などでは見え難いため、レーザーポインタ２５は、室内や暗い屋外で特に有効に活用可能である。
【００２８】
また、レーザーポインタ２５の代わりに、左右のカメラ５０のファインダそれぞれにＣＣＤカメラを取り付け、このＣＣＤカメラで撮影された画像を液晶画面等でモニターするように構成してもよい。このように構成することにより、２台のカメラ５０のファインダを両眼視できないときにも、両眼立体モニターが可能となり、２台のカメラ５０の光軸合わせをすることができる。
【００２９】
カメラ間隔微動レール２１の上面には、公知の円板状のカメラ取付台２７がネジ止めされている。
このカメラ取付台２７は、円板の周囲に、この円板と同軸状のリング体が回動可能に摺設されて形成されており、リング体の下面の端部近くには、リング体を貫通するネジ２８が設けられている。このネジ２８を締めることにより、リング体が円板に対して固定されるように構成されている。円板の上面には、上下水平微動装置３０を取り付けるための不図示の取付孔、リング体の下面には、カメラ間隔調節装置２０に取り付けるための取付孔が形成されている。
カメラ取付台２７は、カメラ５０を、鉛直な軸を中心として回動可能にする役割を果たす。つまり、両カメラ５０の輻輳角やカメラ５０の水平方向の向きを調節するために用いられる。
【００３０】
上下水平微動装置３０は、カメラ５０を水平，上下方向に微調整する装置である。
上下水平微動装置３０は、図２に示すように、板体が断面略Ｕ字状に湾曲されたＵ字板３１、Ｕ字板３１の上面に載置された支持板３４、Ｕ字板３１の開口３１ｅ側に支持板３４と一体に設けられた水平微動ネジ３３、Ｕ字板３１の下板部３１ａを貫通して上板部３１ｃに達する上下微動ネジ３２を主要構成要素としている。
【００３１】
Ｕ字板３１は、鉄製の底面長方形からなる板体をＵ字状に湾曲させた形状からなり、図２に示すように、平面に形成された下板部３１ａと、下板部３１ａに連続する湾曲部３１ｂと、湾曲部３１ｂから連続して平面に形成された上板部３１ｃと、上板部３１ｃから垂直に下方へ起立した後更に先端が上板部３１ｃと平行になるよう垂直に折曲された水平微動ネジ格納部３１ｄと、から形成されている。
下板部３１ａの上面には、図１に示すように、長さ方向に伸びる直線状の凸部３１ｌが２本形成されている。凸部３１ｌは、バネ３６の横方向の動きを規制する。
【００３２】
凸部３１ｌの間には、バネ３６が配置され、バネ３６の上には、ネジ部３５ｂを上方に向けてネジ３５が配置されている。
ネジ３５は、取付孔３７ａを貫通して突出し、カメラ回転装置４０を固定するために設けられたものである。バネ３６は、ネジ３５を上方に付勢し、ネジ３５を取付位置に常に配置して、ネジ止めを迅速に行い易くしている。
【００３３】
下板部３１ａには、図３に示すように、上下微動ネジ３２を貫通させるための取付孔３１ｆが形成され、この取付孔３１ｆに、略中空円筒体からなるスペーサ３１ｇが固定されている。スペーサ３１ｇは内壁が雌ネジとしてネジ切りされ、上下微動ネジ３２を螺合可能に形成されている。
スペーサ３１ｇの高さは、湾曲部３１ｂに負担がかからない最小限の間隔に形成されており、下板部３１ａと上板部３１ｃ，水平微動ネジ格納部３１ｄとの間の最短間隔を規定する役割を果たす。
【００３４】
水平微動ネジ格納部３１ｄの開口３１ｅ側端部には、幅方向の中心に、Ｕ字型の切欠き３１ｈが設けられている。この切欠き３１ｈには、円柱体３１ｉが当接するように固定されている。
円柱体３１ｉは、切欠き３１ｈが嵌合する部分が円柱状の細径部３１ｊとして細く形成された略円柱体からなる。円柱体３１ｉは、切欠き３１ｈに細径部３１ｊが嵌合することにより、水平微動ネジ３３の長さ方向に位置決めされる。
円柱体３１ｉには、図３に示すように、水平微動ネジ３３の長さ方向に、雌ネジ３１ｋが形成されている。雌ネジ３１ｋは、水平微動ネジ３３と螺合されている。円柱体３１ｉは雌ネジ３１ｋが螺入されることにより、支持板３４の長さ方向に位置決めされる。
【００３５】
支持板３４は、鉄製の底面長方形からなる板体を略Ｌ字状に折曲させた形状からなる。
支持板３４は、図２、図３に示すように、Ｕ字板３１の上板部３１ｃ上に重ねて載置される平面部３４ａと、平面部３４ａから垂直に下方へ折曲された折曲部３４ｂと、折曲部３４ｂの側端から湾曲部３１ｂ方向へ折曲された２つの耳部３４ｃ，３４ｄと、からなる。
平面部３４ａ，折曲部３４ｂ，耳部３４ｃ，３４ｄ，上板部３１ｃから垂直に下方へ起立した部分，水平微動ネジ格納部３１ｄは、略中空直方体を構成し、この中空直方体内に水平微動ネジ３３のネジ部分及び雌ネジ３１ｋが格納されている。
【００３６】
平面部３４ａは、カメラ回転装置４０が取り付けられる面であり、上面には、カメラ回転装置４０との間の衝撃を吸収するためのゴム製の板体３７が接着されている。
平面部３４ａ及びゴム製の板体３７には、ネジ３５を貫通させるための取付孔３７ａが形成されている。
【００３７】
耳部３４ｃ，３４ｄには、水平微動ネジ３３を螺合するための取付孔３４ｅ，３４ｆが形成され、一方の耳部３４ｄには、水平微動ネジ３３の軸受３３ｂが形成されている。
水平微動ネジ３３は、取付孔３４ｅ，３４ｆに螺合され、軸受３３ｂで支持されている。また、水平微動ネジ３３のネジ頭部３３ａと耳部３４ｃとの間には、水平微動ネジ３３のネジ部分周囲に、円筒形のカバー３３ｃが配置されている。
【００３８】
また、水平微動ネジ３３は、円柱体３１ｉの雌ネジ３１ｋに螺合される。
水平微動ネジ３３を締める方向に回転させると、水平微動ネジ３３が、円柱体３１ｉの雌ネジ３１ｋに対して進行方向Ｃに進み、円柱体３１ｉは、水平微動ネジ３３に対して進行方向Ｃとは逆の後退方向Ｄへ進む。
従って、水平微動ネジ３３に連結されている支持板３４は、ネジ部３５ｂを軸として、円柱体３１ｉに連結されているＵ字板３１に対して進行方向Ｃに回転する。
【００３９】
一方、水平微動ネジ３３を緩める方向に回転させると、水平微動ネジ３３が、円柱体３１ｉの雌ネジ３１ｋに対して後退方向Ｄに進み、円柱体３１ｉは、水平微動ネジ３３に対して後退方向Ｄとは逆の進行方向Ｃへ進む。
従って、水平微動ネジ３３に連結されている支持板３４は、ネジ部３５ｂを軸として、円柱体３１ｉに連結されているＵ字板３１に対して後退方向Ｄに回転する。
このように水平微動ネジ３３を回転させることにより、カメラ５０の水平方向の微調整が可能となる。
【００４０】
また、２つの上下水平微動装置３０のうち、撮影者から見て右側の上下水平微動装置３０の水平微動ネジ３３は右ネジ、左側の上下水平微動装置３０の水平微動ネジ３３は、左ネジ（逆ネジ）からなる。
このように、左右の上下水平微動装置３０の水平微動ネジ３３の巻き方向を逆にすることにより、水平微動ネジ３３のネジ頭部をステレオ写真撮影装置の外側に配置でき、水平微動調節動作の操作性を向上させることが可能となる。
【００４１】
さらに、左右の水平微動ネジ３３の巻き方向を逆にしているため、左右の水平微動ネジ３３を同じ角度回転させると、左右の支持板３４は、ネジ部３５ｂを軸として逆方向に同じ角度回転する。従って、微動ネジ３３を同一方向に同じ角度回転させることにより、左右のカメラ５０の光軸を同じ角度開閉させることが可能となり、撮影中の被写体の距離に応じて左右レンズの光軸角度を調整することが容易になる。
さらに、微動ネジを同一方向に同じ角度回転させるだけで左右のカメラ５０の光軸を同じ角度開閉させることができるため、近距離撮影、中距離撮影、遠距離撮影の切替が容易であり、スピーディかつシャッターチャンスを逃さずに、ステレオ写真の撮影が可能となる。
【００４２】
つまり、左右のカメラ５０の光軸は無限遠の場合には平行であり、被写体までの距離が近づくに従って内側に収斂するが、光軸の開閉操作を怠ると左右の画面が正しく一致せず、厳密なステレオ写真にならない。同機種のレンズとカメラ５０を使用しても、レンズマウントとカメラマウントとの取付角の僅かな固体誤差や、ズーミングによる芯ぶれ、気温・湿度・工作精度などによる芯ぶれ、カメラ５０とカメラ回転装置４０とのセット誤差なども、光軸が不一致になることがあるのである。水平微動ネジ３３により、このような光軸不一致を、迅速に補正することが可能となる。
【００４３】
上下微動ネジ３２は、カメラ５０を上下方向に微動させて調整する装置である。上下微動ネジ３２は、先端３２ａが平面として形成されており、円柱体３１ｉの下端面に当接している。
また、上下微動ネジ３２は、スペーサ３１ｇに螺合されている。
上下微動ネジ３２を締める方向に回転させると、図３に示すように、上下微動ネジ３２の先端３２ａがスペーサ３１ｇよりも突出した状態となって円柱体３１ｉの下端面に当接するようになり、上板部３１ｃと下板部３１ａとの間隔が広まり、カメラ５０は上に持ち上げられる。
【００４４】
一方、上下微動ネジ３２を緩める方向に回転させると、上下微動ネジ３２の先端３２ａがスペーサ３１ｇの先端よりも下の位置となって、スペーサ３１ｇの先端が円柱体３１ｉの下端面に当接するようになり、上板部３１ｃと下板部３１ａとの間隔が最も狭くなり、カメラ５０は最も低い位置となる。
【００４５】
カメラ５０の光軸に対して垂直な面での回転角度は、後述するカメラ回転装置４０により自由に変更可能であるが、光軸に対して垂直な面での回転角度を左右一致させるだけでは、左右の画像は正確に一致しない。
特に上下方向のずれは、ステレオ写真の立体感を大きく損ない、１〜２％のずれでもステレオ写真は見づらくなる。
そこで、本実施形態では上下水平微動装置３０を備え、左右の画像の上下及び水平の位置を一致させることを可能としている。また、４つのネジにより調整できるため、迅速に上下及び水平の位置を調整できると共に高精度のステレオ写真の撮影が可能である。
【００４６】
カメラ回転装置４０は、カメラ５０を載せるカメラ取付座４４と、カメラ取付座４４に固定された内リング４２及び内リング４２の外側に摺動可能に配設された外リング４１と、を主要構成要素とする。
カメラ取付座４４は、カメラ５０を載せるためのものであり、図４、図５に示すように、底面略長方形の板体からなり、カメラ５０を載せる位置には、コルク製のクッション材４４ａが貼付されている。
【００４７】
また、カメラ５０を載せる位置には、カメラ取付座４４を厚み方向に貫通する蟻みぞ４４ｂが形成されている。この蟻みぞ４４ｂは、漢字の「土」の字型に形成されている。このように、蟻みぞ４４ｂが、スリットが縦横に伸びた「土」の字型に形成されているため、種々のカメラをカメラ取付座４４に取り付けることが可能となり、本実施形態におけるステレオ写真装置による写真撮影が種々のカメラにより可能となる。
カメラ取付座４４の前端は、図１、図５に示すように、取付孔４３ａに螺合されたネジにより内リング４２の支持部４３に固定されている。
【００４８】
内リング４２及び外リング４１は、カメラ５０を所定の角度で保持するために用いられる装置である。
内リング４２は、図５（ｂ）に示すように、略円筒体からなるリング部４２ａと、板体からなる支持部４３とが一体にされた形状からなる。
リング部４２ａは外周に、角度１５°おきに、クリック溝４２ｂが内リング４２の前後方向に伸びるように刻設されている。また、リング部４２ａの外周の全周には、周方向に伸びる固定溝４２ｃが形成されている。
【００４９】
支持部４３は、内周がリング部４２ａの内周と同径で連続してなり、外周がリング部４２ａの外周よりも大きく形成されている。
また、支持部４３外周の下端の左右には、突出する突出部４３ｂが形成されている。この突出部４３ｂには、図１に示すように、複数の取付孔４３ａが形成されている。突出部４３ｂの取付孔４３ａで、内リング４２とカメラ取付座４４とをネジにより固定可能に構成されている。
突出部４３ｂに、複数の取付孔４３ａが形成されているため、カメラ５０の底面からレンズ中心までの距離に応じて、適当な取付孔４３ａを選択してネジ止め可能となり、カメラ５０の大きさが変わっても、カメラ５０のレンズ中心と内リング４２の回動軸とを一致させることが可能となる。
【００５０】
内リング４２の前面には、図４に示すように、全周に亘って、角度を示す目盛４５ａ、４５ｂ、４５ｃ、４５ｄが描かれている。
目盛４５ａ、４５ｂ、４５ｃ、４５ｄは、外リング４１に対する内リング４２の回転角度を読取るために用いられるものであり、外リング４１に描かれた基準点マーク４６と合っている目盛４５ａ、４５ｂ、４５ｃ、４５ｄを読むことにより、外リング４１に対する内リング４２の回転角度を知ることができる。
【００５１】
目盛４５ａは９０°の倍数の角度、目盛４５ｂは目盛４５ａ以外の３０°の倍数の角度、目盛４５ｃは、目盛４５ａ，４５ｂ以外の１０°の倍数の角度、目盛４５ｄは、目盛４５ａ，４５ｂ，４５ｃ以外の５°の倍数の角度を示している。
【００５２】
外リング４１は、図５（ａ）に示すように、内周が内リング４２の外周より僅かに大きく形成された円筒体からなる。
外リング４１の内周の１箇所には、クリック凸部４１ａが、外リング４１の前後方向に伸びるように形成されている。クリック凸部４１ａは、断面略三角形のごく低い突起であり、内リング４２のクリック溝４２ｂに係合可能である。
【００５３】
外リング４１の周には、組立時に内リング４２の固定溝４２ｃと重なる位置に、不図示のネジ孔が、外リング４１を貫通して形成されている。このネジ孔には、図５（ａ）に示すように、ロックネジ４１ｂが螺合されている。
ロックネジ４１ｂは、組立時に締めることにより、外リング４１を内リング４２に対して固定可能である。
【００５４】
外リング４１の下端には、底面が平らに形成された取付部４１ｃが形成されている。この取付部４１ｃの底面には、不図示のネジ孔が形成されている。このネジ孔に上下水平微動装置３０のネジ３５を螺合することにより、外リング４１は、上下水平微動装置３０に取り付けられる。
外リング４１の前面の時計の０時の位置には、図４に示すように、基準点マーク４６が描かれている。
【００５５】
カメラ回転装置４０を用いた本実施形態のステレオ写真装置は、俯瞰撮影等にも有効である。
俯瞰撮影などの被写体にカメラ５０が正対しない撮影では、画面上部と画面下部が一致しない現象（パララックス）が現れる。パララックスが現れた場合、２台のカメラ５０を逆方向に僅かに回転させると、パララックスを解消して見やすい画面を作ることが可能である。
【００５６】
例えば、画面中心の被写体に光軸を合わせた俯瞰撮影の場合、画面下部にパララックスが生じる。この場合、カメラ回転装置４０により、右のカメラ５０は右回転、左のカメラ５０は左回転させると、パララックスが解消する。この回転は、左右一方の回転により効果が現れる場合もある。
なお、本実施形態のカメラ回転装置４０の代わりに、カメラ５０のレンズ鏡筒自体に精密な回転式三脚座を設けて、それぞれのカメラ５０を３６０°回動可能としてもよい。
【００５７】
カメラ５０は、市販の一眼レフのカメラである。なお、このカメラ５０は、カメラ取付座４４に取り付け可能なものであれば、どのようなカメラを用いてもよい。正確なステレオ写真を得るために、２台のカメラ５０とレンズとは同一種類のものを用いる。
なお、カメラ５０とレンズは、機械作動部分の誤差が最小になるようにそれぞれの組合せを調整すると、更に同調速度を高めることができ、好適である。
本実施形態では、一体型のステレオカメラではなく、２台のカメラ５０を使用する方法を採用しているため、レンズ交換が可能で広範囲の撮影に対応可能である。
【００５８】
カメラ５０は、レンズ中心の光軸が、内リング４２の回動軸に略一致するように、カメラ取付座４４に取り付けられる。
レンズの光軸と内リング４２の回転軸とが略一致しない場合には、内リング４２と取付座５５とを固定するネジを、適当な取付孔４３ａに入れ替えることによりカメラ５０のレンズと内リング４２との位置関係を調節する。
【００５９】
カメラ５０には、図６に示すように、シャッター連動装置５２が接続されている。シャッター連動装置５２は、２つのカメラ５０のシャッターを同時に切るための装置である。
シャッター連動装置５２は、２本のレリーズコード５１が接続され、シャッターボタン５３を備えている。
【００６０】
レリーズコード５１は、公知の２極プラグの電磁レリーズコードからなり、中央の銅線の外周にこの中央の銅線に対して絶縁されると共に筒状に編まれた銅線が配置され、筒状に編まれた銅線の周囲が、絶縁体からなるカバーで被覆されて形成されている。
中央の銅線と筒状に編まれた銅線は、カメラ５０の電磁レリーズの接点に接続されており、シャッターボタン５３又は一方のカメラ５０の不図示のシャッターボタンを押すと、中央の銅線と筒状に編まれた銅線との間に電位差が生じて、カメラ５０のシャッターが切れるように構成されている。
【００６１】
シャッター連動装置５２では、２本のレリーズコード５１の中央の銅線同士、筒状に編まれた銅線同士が、導電体で連結されている。このとき、中央の銅線と筒状に編まれた銅線との間は、絶縁された状態とされている。
このように構成されているので、シャッターボタン５３、カメラ５０の不図示のシャッターボタンのいずれかを押すと、即時に２本のレリーズコード５１の中央の銅線と筒状に編まれた銅線との間に電位差が生じ、左右のカメラ５０のシャッターを同時に切ることが可能となる。
【００６２】
単に２本のレリーズコード５１の先端を一つのシャッターボタンに接続した場合には、シャッターボタンを同時に押しても、シャッターボタンの信号が伝わるタイミングが２本のレリーズコード５１間でずれる場合があるが、本実施形態では、中央の銅線同士、筒状に編まれた銅線同士をそれぞれ接続しているため、左右のカメラ５０にシャッターボタンの信号が伝わるタイミングを完全に同期させることが可能となる。
【００６３】
２台のカメラ５０にレリーズコード５１を接続し、シャッターボタン５３を押すことにより、撮影指令信号が２台のカメラ５０に発信され、同時に２つのカメラ５０で撮影可能である。
また、一方のカメラ５０の不図示のシャッターボタンを押すと、撮影指令信号が他方のカメラ５０にも発信され、両方のカメラ５０を同時にレリーズでき、同時に２つのカメラ５０で撮影可能である。
【００６４】
このように、シャッター連動装置５２を用いているため、２台のカメラ５０のシャッターの同調が可能となる。
視差を有するステレオ写真では、「時間の一致と画面の一致」が基本的原理である。動きの速い被写体を撮影する場合、僅かでも時間のずれがあると、左右の画像が一致せず正しいステレオ写真にならないが、シャッター連動装置５２を用いているため、ステレオ写真の動体撮影が可能となる。
【００６５】
カメラ５０は、カメラ取付座４４に、カメラ５０下面のネジ孔でネジ止めされる。
本実施形態のステレオ写真撮影装置では、カメラ５０を種々の配置として写真撮影が可能である。各配置について説明する。
図６は、左右のカメラ５０を互いに天地逆とした横位置撮影配置である。一般的なカメラは、レンズの中心からカメラ本体の横端までの距離が左右で異なる。従って、この配置では、レンズの中心からカメラ５０本体の横端までの距離が近い側を内側とし、２台のカメラ５０のレンズ間距離，すなわちステレオベースを最短としている。
【００６６】
例えば、カメラ５０から被写体までの距離が８０〜１５０ｃｍ程度の近距離撮影時には、２台のカメラ５０のステレオベースを小さくする必要があるため、図６のように、天地逆に配置する。
なお、図６の左右のカメラ５０を互いに天地逆とした配置では、二つのカメラ５０のファインダを同時に覗くことはできない。従って、レーザーポインタ２５を利用して、左右の光軸合わせを行う。
【００６７】
なお、横位置撮影でも、図６のように天地を逆にすると、ステレオベースを小さくすることができる。その結果、横長のカメラ５０を縦位置撮影とほぼ同一のステレオベースにすることが可能で、横位置・縦位置に関わらず同一のステレオ感を得ることができるため、縦位置撮影、横位置撮影間で、撮影距離を変更する必要がなくなる。
【００６８】
また、図示しないが、左右のカメラ５０を共に、カメラ５０の上側を上として、天地同一とした横位置撮影配置としてもよい。
一般的な一眼レフのカメラを用いた場合、左右のカメラ５０を天地同一とした横位置撮影配置では、左右のファインダが１６０ｍｍ前後離れるため、二つのカメラ５０のファインダを同時に覗くことはできない。従って、レーザーポインタ２５を利用して、左右の光軸合わせを行う。
左右のカメラ５０を天地同一とした横位置撮影配置は、カメラ５０から被写体までの距離が１．５〜５ｍ程度の中距離撮影に適している。
なお、左右のカメラ５０を天地同一とした横位置撮影配置として、左右のカメラ５０を共に、カメラ５０の下側を上として配置してもよい。
【００６９】
また、図示しないが、図６の状態から左右のカメラ５０をカメラ回転装置４０で同じ角度回転させた斜め位置撮影配置としてもよい。
この場合、外リング４１の基準点マーク４６と合っていた目盛４５ａ、４５ｂ、４５ｃ、４５ｄから、同じ角度だけ内リング４２を回転させる。
【００７０】
図７は、左右のカメラ５０を互いに異なる方向に９０°回転させ、両カメラ５０のファインダを近づけた縦位置撮影配置である。一般的なカメラでは、ファインダはカメラ５０の上端寄りに配置されているため、各カメラ５０のファインダが内側になるように配置し、ファインダを両眼視可能としたものである。
この場合、レーザーポインタ２５を利用して、左右の光軸合わせを行ってもよいが、ファインダを両眼視して左右の光軸合わせを行うとよい。
このように、ファインダを両眼視できる配置では、ファインダで直接立体像を確認できるため撮影能率が大幅に向上すると共に、被写体までの距離の違いによって生じる立体感の過不足と画面ずれを事前にチェックすることができる。
【００７１】
次に、本実施形態のステレオ写真撮影装置を用いた撮影手順について説明する。
まず、撮影現場で、ステレオ写真撮影装置を組立てる。
不図示の三脚の上に不図示の雲台を固定し、この雲台に、台座１０を固定する。
台座１０の取付孔１０ｄに、右用のカメラ間隔調節装置２０を、台座１０の取付孔１０ｅに、左用のカメラ間隔調節装置２０をネジで固定する。このとき、カメラ間隔調節装置２０は、カメラ間隔微動ネジ２３のネジ頭部がステレオ写真撮影装置の外側になるように固定する。
【００７２】
次いで、各カメラ間隔調節装置２０に、それぞれカメラ取付台２７及び上下水平微動装置３０を順次螺着する。
各上下水平微動装置３０のネジ３５を取付部４１ｃの不図示のネジ孔に螺合して、カメラ回転装置４０を各上下水平微動装置３０に固定する。
【００７３】
各カメラ回転装置４０のカメラ取付座４４にそれぞれカメラ５０を載せ、カメラ５０を取り付けたときに、カメラのレンズの光軸と内リング４２の回動軸に略一致するか、肉眼で確認する。一致しない場合には、内リング４２とカメラ取付座４４とを固定するネジを、適当な取付孔４３ａに入れ替えて、再度内リング４２とカメラ取付座４４とを固定する。
不図示のネジを蟻みぞ４４ｂを介して挿し込み、カメラ５０をカメラ取付座４４に固定する。
【００７４】
その後、カメラ５０の位置の微調整を行う。
まず、水準器２６を見て、カメラ間隔調節装置２０が水平になっているか確認する。カメラ間隔調節装置２０が水平になっていない場合には、左右のカメラ５０の土台となる台座１０が水平になっていないということを意味するため、台座１０の下の不図示の雲台の上下方向及び水平方向の位置を微調整し、水準器２６を水平な状態とする。
傾きが大きくなると立体感が失われてしまうため、台座１０自体が斜めでなく水平に保たれている必要がある。
【００７５】
次に、２つのカメラ５０のファインダの間隔が広い場合には、レーザーポインタ２５の位置合わせをする。撮影者から見て左のカメラ５０のファインダを覗きながら、レーザーポインタ２５でレーザーを照射する。レーザーポインタ２５の照射ポイントが、左のカメラ５０のファインダ内中央のフォーカスフレームに入るように、自由雲台２４を調整する。
【００７６】
次に、右のカメラ５０のファインダを覗きながらレーザーポインタ２５を照射し、レーザーポインタ２５の照射ポイントが、右のカメラ５０のファインダ内中央のフォーカスフレームに入るよう、上下水平微動装置３０を用いて、上下方向及び水平方向に微調整して、光軸合わせを行う。
２つのカメラ５０のファインダ間隔が両眼視できるほど狭い場合には２つのファインダを同時に覗きながら、上下水平微動装置３０を用いて、上下方向及び水平方向に微調整して、光軸合わせを行う。
【００７７】
光軸合わせが完了すると、ステレオ写真を撮影する。
すなわち、２つのカメラ５０のファインダの間隔が広い場合には、レーザーポインタ２５で被写体の中央にレーザー照射し、撮影者から見て右のカメラ５０のファインダを覗きながら、レーザーポインタ２５の照射ポイントが、右のカメラ５０のファインダ内中央のフォーカスフレームに入るように、右のカメラ５０の位置を上下水平微動装置３０で調整する。
次に、左右のカメラ５０の焦点をそれぞれ合わせる。
その後、シャッターボタン５３を押し、写真撮影する。
【００７８】
次の写真を、最初に撮影した位置とは異なる位置の撮影配置で撮影する場合には、カメラ回転装置４０のロックネジ４１ｂを緩め、左右のカメラ５０の片方又は双方の内リング４２を所望の角度回転させた後、ロックネジ４１ｂを締める。ここで、内リング４２の回動軸がカメラ５０の光軸と略一致しているため、内リング４２を回転させて撮影配置を変更しても、水平位置、上下位置の微調整を殆ど行う必要がない。
【００７９】
また、内リング４２には回転角度を示す目盛４５ａ、４５ｂ、４５ｃ、４５ｄが描かれ、かつ内リング４２の外周に１５°おきにクリック溝４２ｂが刻設され、外リング４１の内周の１箇所に形成されたクリック凸部４１ａと係合するため、左右のカメラ５０を、縦位置、横位置、斜め位置のいずれの場合にも、正確に同じ角度に設定することができる。
更に、回転角度を示す目盛４５ａ、４５ｂ、４５ｃ、４５ｄのうち最も細かい目盛４５ｄは５°おきに描かれているため、斜め位置の斜めの角度も、５°単位で所望の角度に設定でき、撮影できるステレオ写真の自由度も高い。
このようにして撮影された写真は、図８に示す右目用フィルム６１、左目用フィルム６２となる。
【００８０】
次に、本実施形態のステレオ写真撮影装置を用いて撮影されたステレオ写真を鑑賞するためのステレオマウント６０、ステレオビュア７０、ステレオビュア用ライトボックス８０について説明する。
ステレオマウント６０は、右目用フィルム６１及び左目用フィルム６２をフレーム６３に固定して一体化したもので、ステレオビュア７０で鑑賞するために用いられる。
【００８１】
ステレオマウント６０は、フレーム６３と、フレーム６３に固定された２つのスライドマウント６５と、２つのスライドマウントにそれぞれ格納された右目用フィルム６１及び左目用フィルム６２とを主要構成要素としている。
フレーム６３は、縦５０ｍｍ、横１０５ｍｍの表用フレーム６３ａ及び裏用フレーム６３ｂが重ね合わせられて形成されている。
表用フレーム６３ａ及び裏用フレーム６３ｂは、樹脂の射出成形により形成されている。
【００８２】
表用フレーム６３ａ及び裏用フレーム６３ｂには、図８に示すように、左右２つのフィルム用開口６３ｃが形成されている。
このフィルム用開口６３ｃは、３６ｍｍ四方の正方形に形成されている。
従って、右目用フィルム６１及び左目用フィルム６２が図８のような縦長画像の場合には、画像の左右にスライドマウント６５の一部が露出し、右目用フィルム６１及び左目用フィルム６２が横長画像の場合には、画像の上下にスライドマウント６５の一部が露出する。
つまり、スライドマウント６５の一部が画像左右又は上下に露出される状態で、画像が縦長又は横長のいずれの場合にも同じフレーム６３を用いることができる。
【００８３】
表用フレーム６３ａ及び裏用フレーム６３ｂは、図８に示すように、横方向の中央が、縦方向に伸びる薄肉のヒンジ部６４として形成されている。このように、表用フレーム６３ａ及び裏用フレーム６３ｂ中央に薄肉のヒンジ部６４が形成されているため、鑑賞時に右目用フィルム６１及び左目用フィルム６２の間を輻輳角に応じた適当な角度に保つことが可能となり、ユーザに対して、ステレオ写真をより自然な立体画像と感じさせることが可能となる。
【００８４】
ここで、輻輳とは、ひとが無限遠以外の対象物を中止するときに眼球が眼筋の働きによって内側を向くことをいい、輻輳角とは、眼球の回転角をいう。
なお、ヒンジ部６４は右目用フィルム６１と左目用フィルム６２との角度の調整が自在であるため、フレーム６３に平行アタッチメントを介して光軸の平行を保持し、偏光ステレオプロジェクタで大画面に投影するようにしてもよい。
【００８５】
スライドマウント６５は、一辺が約５０ｍｍの正方形からなり、プラスチックの成形品として形成されている。スライドマウント６５には、３５ｍｍフィルムの画像を露出可能なように、中央に約２４ｍｍ×３６ｍｍの長方形の開口が形成されている。
スライドマウント６５は２枚が一組となっており、２枚のスライドマウント６５の間に、画像が開口で露出されるように３５ｍｍフィルムである右目用フィルム６１又は左目用フィルム６２が挟まれ、強力接着剤又は超音波溶着で固定されている。
このように、右目用フィルム６１及び左目用フィルム６２をスライドマウント６５に収納してからフレーム６３に収納するので、縦画面、横画面を問わず同じスライドマウント６５及びフレーム６３を用いることができ、縦画面用、横画面用に異なる部材を用いる必要がない。
【００８６】
右目用フィルム６１及び左目用フィルム６２は、写真撮影に用いられる一般的な３５ｍｍフルサイズフィルムである。
このように、ステレオマウント６０が、現在最も普及している３５ｍｍフルサイズフィルムに対応しているため、通常の写真撮影で用いる一般的なフィルムを用いてステレオマウント６０に加工することができ、利便性が高い。
【００８７】
右目用フィルム６１及び左目用フィルム６２は、スライドマウント６５に固定された後、この右目用と左目用のスライドマウント６５が、強力接着剤又は超音波溶着で表用フレーム６３ａと裏用フレーム６３ｂとの間に固定される。
このように、右目用フィルム６１及び左目用フィルム６２を収納したスライドマウント６５を強力接着剤又は超音波溶着で固定することにより、容易に内部のフィルム６１，６２を取り出せないようにし、フィルム６１，６２の二次使用を防止して、写真の著作権、被写体の肖像権を守ることができる。
【００８８】
ステレオビュア７０は、ステレオマウント６０の右目用フィルム６１及び左目用フィルム６２を両眼視してステレオ写真を鑑賞するための装置である。
視差を有する左右のステレオ写真を鑑賞するために、両眼の眼幅調節と視度調節の機能を持ち、かつ左右のレンズ光軸の輻輳角により「眼」が対象物を生理的に注視し易く設計されている。
眼幅調節と視度調節は、「眼」の機能の個人差に対応したものである。
ステレオビュア７０は、図８に示すように、本体ケース７１と、本体ケース７１の前面枠７２に左右各一つずつ摺動可能に形成されたスライド板７３と、各スライド板７３に固定された凸レンズ７５と、を主要構成要素とする。
【００８９】
本体ケース７１は、プラスチック製の断面長方形の筒体からなり、本体ケース７１の前面には、本体ケース７１と同じ素材からなる前面枠７２が融着固定されている。
本体ケースの上面７１ａ及び不図示の底面は、前側の端部が、中央が凸になった１７０°の逆Ｖ字状になるように形成されている。
【００９０】
前面枠７２は、中央７２ｂが両端よりも前方に位置するよう中央７２ｂで角度１７０°に折曲されている。中央７２ｂの左右には、不図示の円形の開口が形成されている。
本体ケース７１の上面及び底面と前面枠７２との間には、不図示のスライド溝が左右１本ずつ形成されている。
本体ケース７１の前端部は、所定長さで切り欠かれており、本体ケース７１と前面枠７２とを融着すると、本体ケース７１と前面枠７２との間にスライド溝が現れるように形成されている。
【００９１】
前面枠７２の中央７２ｂ左右には、図８に示すように、スライド板７３が配設されている。
また、本体ケース７１の上面には、ステレオマウント挿入用のスリット７６が形成されている。
スリット７６は、幅３〜５ｍｍの開口からなり、角度１７０°のＶ字型に形成されている。Ｖ字の２つの辺の長さは、ステレオマウント６０のから中央までの距離より僅かに大きい約５１ｍｍである。
【００９２】
本体ケース７１の後端近くには、外周に、ライトボックス８０を連結するための係止部７７及び係合突起７８が形成されている。
係止部７７は、本体ケース７１の左右方向に伸びる狭幅の直方体形状の突起であって、本体ケース７１の上面７１ａ及び下面に形成されている。係止部７７は、本体ケース７１の左右の幅全体に亘って伸び、係止部７７の両端は、本体ケース７１の外周に沿って垂直に折り曲げられている。
係止部７７は、本体ケース７１にライトボックス８０を取り付けたときに、ライトボックス８０を位置決めすると共に支持する役割を果たす。
【００９３】
係合突起７８は、本体ケース７１の各外側面の上端及び下端に合計４つ設けられ、高さ２ｍｍ、長さ５ｍｍ程度のかまぼこ状の小突起である。
係合突起７８は、ライトボックス８０の係止部８８に係合し、係止部７７と協働して、本体ケース７１にライトボックス８０を固定する役割を果たす。
【００９４】
スライド板７３は、本体ケース７１と同じ素材の略長方形の板体からなり、上端及び下端が本体ケース７１後側へ垂直に折曲されると共に、その先端がさらに垂直に本体ケース７１側に折曲されている。
この先端は、本体ケース７１と前面枠７２との間にスライド溝に挿入されている。これにより、スライド板７３は、本体ケース７１の前面枠７２の前に、左右に摺動可能に配置される。
また、スライド板７３は、前面枠７２と平行に配置されるため、２つのスライド板７３は、相互に１７０°の角度を保つこととなる。
【００９５】
各スライド板７３の中心には、図８に示すように、円筒体からなる接眼鏡筒７４と、この接眼鏡筒７４にはめ込まれた凸レンズ７５が固定されている。
接眼鏡筒７４は、スライド板７３に垂直に固定される。従って、左右の凸レンズ７５の光軸は、スライド板７３に対して垂直となるため、平行よりも１０°内側を向いた角度となる。
このように、左右の凸レンズ７５の光軸を平行よりも内側を向いた角度とし、かつ右目用フィルム６１と左目用フィルム６２との角度を１７０°として左右のフィルム６１，６２の面と光軸とが９０°となるようにすることにより、左右の画像を正確に一致させることが可能となる。
左右の凸レンズの間隔は、５０〜７０ｍｍの範囲で調節可能に構成されている。
【００９６】
また、各スライド板７３のステレオビュア７０中央側の下端には、図８に示すように、円弧状の切欠き部７３ａが形成されている。この切欠き部７３ａは、スライド板７３のステレオビュア７０中央側の下端が、鑑賞時ユーザの鼻が当る位置になるため、鼻が当ることを防ぐために形成されている。
凸レンズ７５は、一般的なステレオビュアで用いられる公知の凸レンズからなる。
【００９７】
従来のステレオビュアは、眼幅調節と視度調節の機構がなく、個人の「眼」の機能に対応しておらず、十分な光学性能を発揮できないものが多数であった。
平行の光軸によって設計されたビュアでは、心理的には目前の対象物を見ていながら、生理的な眼球の動きは平行（無限遠）のままであるという矛盾があった。ステレオ写真は主に両眼の視差から立体感を生み出す写真技術であるが、両眼視差以外の要素も重要であって、可能な限りこれらの要素を加えることによってより現実的な立体映像として成立するものである。ひとが立体を認識するためには知覚的・心理的・生理的な様々な要素が必要で、眼筋の働きも大切な生理的要素のひとつである。
すなわち、人が無限遠以外の対象物を注視するとき、眼球は眼筋の働きによって内側を向くことになる。これを輻輳といい、この眼球の回転角（輻輳角）からもひとは距離情報を得ているのであるが、この問題を解決したステレオビュアの開発が望まれていた。
【００９８】
本実施形態のステレオビュア７０では、眼幅が５０〜７５ｍｍまで無段階で調節可能に構成されているため、子供から眼幅の大きい人まで無理なくステレオ写真の鑑賞が可能である。また、本実施形態ではミリ単位で個々人の眼幅に正確に適合可能なスライド式を採用しているため、レンズ固定式ビュアで鑑賞するよりも、立体画像の見え方は極めて優れたものとなる。
また、本実施形態では、左右の凸レンズ７５の光軸は、平行よりも１０°内側を向いた角度に設定された輻輳角付きビュアとして構成されているため、長時間の鑑賞にも疲れにくい。
なお、凸レンズ７５を、左右で個別に焦点調節可能なレンズとすると、正確なピント調整が可能となると共に左右の視力が違うユーザでも正しいピントを得ることができ好適である。
【００９９】
ライトボックス８０は、ステレオビュア７０の後側に取り付けられ、ステレオ写真鑑賞時にフィルム６１，６２に光を与える役割を果たす。
十分な採光が得られない状況でステレオ写真を鑑賞するために用いられる。
ライトボックス８０は、図８、図９に示すように、本体ケース８１と、基板８２と、ＬＥＤ８３と、ロータリースイッチ８５ａ，８５ｂ，８５ｃ，８５ｄと、電池８６と、中間板８７と、係止部８８と、を主要構成要素とする。
図９は、本体ケース８１から中間板８７を取り外したときの正面図であって、基板８２のパンチ孔、配線の図示は、省略されている。
本体ケース８１は、前面が開口として形成された中空略直方体からなり、本体ケース８１内部がライトボックスとして形成されている。
【０１００】
基板８２は、一般的なＬＥＤ用の基板からなり、本体ケース８１後面の内壁に固定されている。
基板８２には、図９に示すように、ＬＥＤ８３及び抵抗８４が固定されている。
ＬＥＤ８３としては、白色ＬＥＤ８３ａ、青色ＬＥＤ８３ｂ、赤色ＬＥＤ８３ｃ、緑色ＬＥＤ８３ｄの４つが固定されている。
これらのＬＥＤ８３は、電池８６に互いに並列に接続されると共に、それぞれのＬＥＤ８３は、異なる抵抗８４及び白色用ロータリースイッチ８５ａ、青色用ロータリースイッチ８５ｂ、赤色用ロータリースイッチ８５ｃ、緑色用ロータリースイッチ８５ｄに接続されている。
【０１０１】
従って、本体ケース８１後面外側に突出する白色用ロータリースイッチ８５ａ、青色用ロータリースイッチ８５ｂ、赤色用ロータリースイッチ８５ｃ、緑色用ロータリースイッチ８５ｄのいずれかをスイッチを入れる方向に回転させると、ＬＥＤ８３のいずれかが点灯する。
【０１０２】
図８に示すように、本体ケース８１の基板８２の前には、本体ケース８１内部を覆い隠すように中間板８７が固定される。
中間板８７は、蛍光灯カバー等に用いられる公知の乳白色のプラスチック板からなる。中間板８７は、ＬＥＤ８３の光が、ステレオビュア７０側に均等に入るようにするために配設されている。
この中間板８７により、ステレオビュア７０で鑑賞したときに、ステレオ写真の一部に特に強い光があたり、画像が斑に見えることを防止することができる。
【０１０３】
係止部８８は、ライトボックス８０の側壁内面の端部近くに設けられ、係合突起７８が嵌合可能な凹部として形成されている。係止部８８は本体ケース７１とライトボックス８０とを連結するためのものであり、係合突起７８と同数の４つ設けられている。
側壁の係止部８８が設けられている位置の外面には、図８に示すように、側壁が厚く形成された肉厚部８９が形成されている。
肉厚部８９は、係合突起７８と当接することにより係止部８８が弱ることを防止する役割を果たす。
【０１０４】
従来より、２つのレンズを一体のケースに取り付けたリアリストタイプのステレオビュアでは、ステレオビュア内蔵タイプのライトボックスが知られているが、電源に交流電源及び乾電池が用いられ、光源に豆電球が用いられていたため、照射むらが残ると共に光源の色温度が低く色調表現に無理があった。
本実施形態のライトボックス８０は、４色のＬＥＤ８３ａ〜８３ｄを用いているため、色調表現に優れている。白色ＬＥＤ８３ａは、バックライトとしては最も使用頻度の高い色であるが、色温度が若干高く青みが強いため、肌色の再現のために赤色ＬＥＤ８３ｃを別途設けて色を混合可能にし、色温度を調節できるように構成されている。
【０１０５】
また、４色は独立した光量コントロールによって調節できるため、色温度を変化させることが可能である。例えば、風景写真などで白色ＬＥＤ８３ａのみを使用した場合は昼間の雰囲気、赤色ＬＥＤ８３Ｃを使用した場合は夕景の雰囲気を作ることができる。また画面内に暖炉や室内灯を取り入れた撮影では、光量の調節に応じてこれらの光源が変化するように見えるため、静止画であるステレオ写真に時間的な要素を取り入れることができる楽しさが加えられる。
【０１０６】
次いで、本実施形態のステレオマウント６０、ステレオビュア７０、ステレオビュア用ライトボックス８０を用いてステレオ写真を鑑賞する手順について説明する。
ライトボックス８０を用いない場合、ユーザは、ステレオビュア７０のスリット７６に、矢印Ｅのようにステレオマウント６０を挿入し、凸レンズ７５よりステレオビュア７０を覗いてステレオ写真の立体画像を鑑賞する。
【０１０７】
ライトボックス８０を用いる場合、ユーザは、ステレオビュア７０の係合突起７８をライトボックス８０の係止部８８に係止させ、矢印Ｆのようにステレオビュア７０の後端にライトボックス８０を固定する。
ステレオビュア７０のスリット７６に、矢印Ｅのようにステレオマウント６０を挿入する。
ロータリースイッチ８５ａ，８５ｂ，８５ｃ，８５ｄの少なくとも一つを回転させて白色ＬＥＤ８３ａ、青色ＬＥＤ８３ｂ、赤色ＬＥＤ８３ｃ、緑色ＬＥＤ８３ｄのうち少なくとも一つを点灯させ、凸レンズ７５よりステレオビュア７０を覗いてステレオ写真の立体画像を鑑賞する。
【０１０８】
このとき、白色ＬＥＤ８３ａ、青色ＬＥＤ８３ｂ、赤色ＬＥＤ８３ｃ、緑色ＬＥＤ８３ｄのいずれを点灯するかによって、見える画像の印象が異なる。
例えば、光が差し込む窓をバックに室内を撮影した写真では、赤色ＬＥＤ８３ｃを点灯すれば、窓の外が夕焼けであるような印象を与え、青色ＬＥＤ８３ｂを点灯すれば、窓の外が夜であるような印象を与え、白色ＬＥＤ８３ａを点灯すれば、窓の外が晴れの日の昼であるような印象を与える。
【０１０９】
また、各ＬＥＤ８３を単独でなく同時に点灯することにより、更に異なる印象を与えることができる。また、各ＬＥＤ８３のロータリースイッチ８５ａ〜８５ｄは、スイッチを回す角度によりＬＥＤ８３の光の強度も調節できるので、各ＬＥＤ８３の回す角度により、各ＬＥＤの色を適宜混合させた適当な色とすることができる。
【０１１０】
図１０に、ステレオビュアの他の例を示す。
図１０のステレオビュア９０は、２つの本体ケース９１と、２つの後部キャップ９２と、２つの本体ケース９１を相互に連結するヒンジ９３と、凸レンズ９４と、ロック機構９５と、を備えている。
【０１１１】
本体ケース９１は、右目用、左目用が別体として構成されており、略四角錐の頂点側が切り取られた形状からなる。本体ケース９１の頭部には、それぞれ凸レンズ９４が固定され、本体ケース９１の底部には、本体ケース９１とは別体として形成された後部キャップ９２が着脱可能に設けられている。
本体ケース９１と後部キャップ９２との間は、底面と平行なスリット９６として形成され、ステレオマウント６０を挿入可能である。
【０１１２】
右目用、左目用の本体ケース９１は、ヒンジ９３で接続され、このヒンジ９３を軸に左右の光軸の角度を調整可能にされている。
本体ケース９１の一側面には、図９に示すように、眼幅を固定するためのロック機構９５が形成されている。
【０１１３】
このロック機構９５は、筒体９５ｃと、両端が球として形成された連結部材９５ｃとが複数連続した形状からなり、一端９５ａが、一方の本体ケース９１に固定され、他端９５ｂが他方の本体ケース９１にマジックテープ（登録商標）により着脱可能に固定されている。
ロック機構９５は、他端９５ｂをマジックテープ（登録商標）により適当な位置に固定することにより、２つの本体ケース９１同士を適当な角度に調整可能である。
【０１１４】
【発明の効果】
以上のように本発明によれば、２台の前記カメラを、該カメラのレンズの光軸を中心とした任意の角度でそれぞれ固定可能な２つのカメラ角度固定手段を備えているため、縦位置、横位置、斜め位置など、任意の角度のカメラ位置でステレオ写真の撮影が可能となり、撮影できる構図の自由度が高くなる。
また、カメラ角度固定手段が、２台の前記カメラを、該カメラのレンズの光軸を中心とした角度で固定可能であるため、ステレオ写真の撮影中にカメラの角度を変更しても、角度はカメラのレンズの光軸中心に変更されるため、カメラの光軸合わせを改めて行う必要が殆どなく、シャッターを切る時間間隔を短くすることができる。従って、スピーディに撮影ができると共に、光軸合わせのためにシャッターチャンスを逃す可能性が低くなる。
【図面の簡単な説明】
【図１】本発明の一実施形態に係るステレオ写真撮影装置の各構成部材の連結状態を示す説明図である。
【図２】本発明の一実施形態に係るステレオ写真撮影装置の上下水平微動装置を示す説明図である。
【図３】図２のＡ−Ａ端面図である。
【図４】本発明の一実施形態に係るステレオ写真撮影装置のカメラ回転装置の斜視図である。
【図５】本発明の一実施形態に係るステレオ写真撮影装置のカメラ回転装置の連結状態を示す説明図である。
【図６】本発明の一実施形態に係るステレオ写真撮影装置において、カメラを横位置撮影配置とした場合を示す説明図である。
【図７】本発明の一実施形態に係るステレオ写真撮影装置において、カメラを縦位置撮影配置とした場合を示す説明図である。
【図８】ステレオ写真を観察するステレオビュアを示す説明図である。
【図９】ステレオビュア用のライトボックスの正面図である。
【図１０】ステレオ写真を観察するステレオビュアの他の例を示す説明図である。
【符号の説明】
１０  台座
１０ａ  台座本体
１０ｃ，１０ｄ，１０ｅ，３１ｆ，３４ｅ，３４ｆ，３７ａ，４３ａ  取付孔
１０ｆ  カメラクイックシュー
１０ｇ  右側の端部
１０ｈ  左側の端部
２０  カメラ間隔調節装置
２１  カメラ間隔微動レール
２２  摺動板
２３  カメラ間隔微動ネジ
２４  自由雲台
２５  レーザーポインタ
２６  水準器
２７  カメラ取付台
２８，３５  ネジ
３０  上下水平微動装置
３１  Ｕ字板
３１ａ  下板部
３１ｂ  湾曲部
３１ｃ  上板部
３１ｄ  水平微動ネジ格納部
３１ｅ  開口
３１ｇ  スペーサ
３１ｈ  切欠き
３１ｉ  円柱体
３１ｊ  細径部
３１ｋ  雌ネジ
３１ｌ  凸部
３２  上下微動ネジ
３２ａ  先端
３３  水平微動ネジ
３３ａ  ネジ頭部
３３ｂ  軸受
３３ｃ  カバー
３４  支持板
３４ａ  平面部
３４ｂ  折曲部
３４ｃ，３４ｄ  耳部
３５ｂ  ネジ部
３６  バネ
３７  板体
４０  カメラ回転装置
４１  外リング
４１ａ  クリック凸部
４１ｂ  ロックネジ
４１ｃ  取付部
４２  内リング
４２ａ  リング部
４２ｂ  クリック溝
４２ｃ  固定溝
４３  支持部
４３ｂ  突出部
４４  カメラ取付座
４４ａ  クッション材
４４ｂ  蟻みぞ
４５ａ、４５ｂ、４５ｃ、４５ｄ  目盛
４６  基準点マーク
５０  カメラ
６０  ステレオマウント
６１  右目用フィルム
６２  左目用フィルム
６３  フレーム
６３ａ  表用フレーム
６３ｂ  裏用フレーム
６３ｃ  フィルム用開口
６４  ヒンジ部
６５  枠
７０，９０  ステレオビュア
７１，９１  本体ケース
７１ａ  上面
７２  前面枠
７３  スライド板
７３ａ  切欠き部
７４  接眼鏡筒
７５，９４  凸レンズ
７６，９６  スリット
７７，８８  係止部
７８  係合突起
８０  ライトボックス
８１  本体ケース
８２  基板
８３  ＬＥＤ
８３ａ  白色ＬＥＤ
８３ｂ  青色ＬＥＤ
８３ｃ  赤色ＬＥＤ
８３ｄ  緑色ＬＥＤ
８４  抵抗
８５ａ，８５ｂ，８５ｃ，８５ｄ  ロータリースイッチ
８６  電池
８７  中間板
９２  後部キャップ
９３  ヒンジ
９５  ロック機構
【図１】
2005037595.tif 000003
【図２】
2005037595.tif 000004
【図３】
2005037595.tif 000005
【図４】
2005037595.tif 000006
【図５】
2005037595.tif 000007
【図６】
2005037595.tif 000008
【図７】
2005037595.tif 000009
【図８】
2005037595.tif 000010
【図９】
2005037595.tif 000011
【図１０】
2005037595.tif 000012